(57)【要約】【課題】載置台上シートを穿孔処理する際に、載置台へのシートの搬入をスムーズに行いシートの搬送不良を少なくできるシート穿孔装置の提供。【解決手段】シートを穿孔する穿孔部材８０と、これを駆動する穿孔駆動部材７０と、穿孔する載置台上のシートを押圧する押圧位置と、シートを載置台に案内する案内位置と、シートを載置台から排出する離間位置とに移動するシート押圧部材６０と、これを駆動する押圧駆動部材７０と、これらを制御する制御手段１２３とを備え、この制御手段１２３は、押圧駆動部材７０を制御してシート押圧部材の前記案内位置をシートの厚さ情報によって載置台に搬入するシートの厚さに応じた位置に移動するシート穿孔装置。【選択図】図３
2015224113.tif 000002
【特許請求の範囲】
【請求項１】
搬送されるシートを載置する載置台と、
この載置台上に載置したシートに穿孔を行う穿孔部材と、
この穿孔部材をシートに穿孔する穿孔位置とこの位置から退避した退避位置に移動する穿孔移動部材と、
この穿孔移動部材を駆動する穿孔駆動部材と、
上記穿孔部材に沿ってスライド可能であって載置台のシートを押圧する押圧位置と、シートを載置台に案内する案内位置と、シートを載置台から排出する離間位置とに移動するシート押圧部材と、
このシート押圧部材を移動する押圧移動部材と、
この押圧移動部材を駆動する押圧駆動部材と、
上記穿孔駆動部材と押圧駆動部材を制御する制御手段とを備え、
この制御手段は、前記押圧駆動部材を駆動してシート押圧部材を押圧位置と離間位置とに位置移動させるとともにシートの厚さ情報によって載置台に搬入するシートの厚さに応じた案内位置に移動することを特徴とするシート穿孔装置。
【請求項２】
上記制御手段は、前記押圧移動部材を駆動してシート押圧部材を離間位置からシート厚さに対応した案内位置に移動してシートを載置台に搬入し、シートを載置台に載置完了後シート押圧部材を押圧位置に移動し、その後に穿孔移動部材を駆動して穿孔部材を退避位置から穿孔位置へ、穿孔位置から退避位置に移動し、この後シート押圧部材を押圧位置から離間位置に移動後にシートを載置台から排出したことを特徴とする請求項１記載のシート穿孔装置。
【請求項３】
シート押圧部材の上記離間位置は、上記案内位置よりもシートからさらに離間した位置であることを特徴とする請求項２に記載のシート穿孔装置。
【請求項４】
上記シート押圧部材は、上記穿孔部材にスライド可能な基端部が穿孔部材を囲う筒形状からなり、シートを押圧する端部は、載置台の上流から下流に延設されるとともにその上流側がシートから徐々に離間する傾斜開口部が形成されていることを特徴とする請求項３に記載のシート穿孔装置。
【請求項５】
上記穿孔部材をシートに穿孔する穿孔位置とこの位置から退避した退避位置に移動する穿孔移動部材と、シート押圧部材を載置台にシートを案内する案内位置、押圧する押圧位置、排出する離間位置に移動する押圧移動部材とは、それぞれ偏心カムによって構成されていることを特徴とする請求項４に記載のシート穿孔装置。
【請求項６】
上記穿孔駆動部材と押圧駆動部材とは、単一の駆動モータから構成され、この駆動モータの回転方向により、穿孔移動部材としての偏心カムを回転させるか押圧移動部材としての偏心カムを移動させるかを切り替えることを特徴とする請求項５記載のシート穿孔装置。
【請求項７】
上記制御手段は、載置台へ後続シートの搬入がある場合には、シート押圧部材を前のシートのシート厚さ情報によって案内位置に移動して次シートの搬入を案内することを特徴とする請求項６記載のシート穿孔装置。
【請求項８】
シートを束として集積するスタッカ部と、集積したシートに折り処理を施す折り処理部と、
この折り処理部の下流側に、上記請求項１ないし請求項７の何れか１項に記載のシート穿孔装置を配置したことを特徴とするシート処理装置。
【請求項９】
順次シート上に画像形成する画像形成手段と、
この画像形成手段からのシートに所定の処理を施すシート処理装置とから構成され、
このシート処理装置は、上記請求項１ないし７の何れか１項に記載のシート穿孔装置を備えていることを特徴とする画像形成装置。
【発明の詳細な説明】
【技術分野】
【０００１】
本発明は、複写機、プリンタなどの画像形成装置から順次搬出され集積し束としたシートに対して穿孔する装置であり、より詳しくはシート束を二つ折りにしたシートを一括して穿孔することが可能な装置に関する。
【背景技術】
【０００２】
一般に、画像形成装置から搬出されるシートを部揃えしてステープル綴じ、或いは冊子状に折り合わせる処理装置は広く知られている。これらの処理装置はシートの中ほどをステープルあるいは接着剤で中綴じして冊子状に折り合わせるものがある。この様な装置では、画像形成製装置装の排出直後に１枚ずつ穿孔し、その後に綴じや中折りを行うようになっている。しかし、先に穿孔を行うと、シート束として折り合せると穿孔位置がずれることがあった。
このシート間の穿孔位置のずれを防止するため、綴じや中折りを行ってからこの折りシートに一括して穿孔処理を行う処理構成としているものがある。
【０００３】
例えば特許文献１には、中綴折りしたシートを一括してパンチ孔を穿孔する装置が示されている。
このものは、中綴じ装置、三方裁断装置、穿孔装置の順に装置を連接させ、穿孔装置においては、上下の把持体でシートを把持しこの把持体内から穿孔刃を突出し、シート束に一括してパンチ孔を穿孔しているものである。
【０００４】
また、特許文献２には、シート処理装置から搬送されてくる二つ折りにされたシート束の先端側への穿孔とシート束の後端側の裁断を行う装置が示されている。この装置は穿孔及び裁断の各処理を行うがこの際のシートの押えを共通の押え板で押えるものである。
【先行技術文献】
【特許文献】
【０００５】
【特許文献１】特開２０１１−８４０４７号公報
【特許文献２】特許第５１５３４８９公報
【発明の概要】
【発明が解決しようとする課題】
【０００６】
上述のように画像形成装置などから搬出されるシート束特に折りシート束に対して一括の穿孔処理を施す装置には、それぞれ次の問題がある。
【０００７】
まず、特許文献１のものは、折りシートを一括して穿孔する装置は従前のように画像形成装置から排出されるシートの１枚１枚に穿孔処理を行う場合に比べ、シートを折りこんだ状態で一度に一括して穿孔するもので、シート毎の穿孔位置がずれることなく仕上がりがよくなる。この特許文献１には二つのタイプの一括穿孔装置が示され、一つ目のタイプは穿孔刃やこれを移動するカム等を支持する把持部材を昇降して穿孔時にシートを押圧するものである。もう一つのタイプは、穿孔刃やこれを移動するカムを支持する支持筐体とこの下に穿孔刃周囲を押える筒状押え部材とこの周囲でシートを押える上方把持部材で穿孔時にシートを押えているものが示されている。
【０００８】
ところで、上記のシート穿孔装置は、折りシートには折ったシートが２、３枚の極めて薄い折りシートから折りシートにして５０、６０枚程度のかなり厚いシート束に穿孔処理をすることが必要となり、シートの厚さがかなり相違している。さらに、これらの折りシートは二つに折りにされているために、枚数の少ない束は折り曲げ部があまり厚くならないが、枚数が多いシートは折り曲げた部分に空間ができて膨らみ通常の枚数よりもかなり厚くなってしまう。そして、折りシートへの穿孔はこの折り曲げ側を穿孔する、この二つ折りシートの折り付近のシート厚さはかなりの厚さになっていた。
【０００９】
従って、上記の特許文献１の何れのタイプでも、薄い折りシートだけでなく厚い折りシートへの穿孔も行えるように、シートの押えを行う把持部材や上方把持部材は、かなり厚いシートの搬入に備えて、搬入シートからかなり離れた上方の位置に待機していた。この為薄い折りシートでは、例えば先端が上方にカールしていたり、変形したりするとシートの搬入をガイドするものがないために、先端が湾曲して把持部材に当接して搬送不良を起こしてしまう。また、この湾曲した部分と他の機構などと衝突してしまいやはり搬送ができなくなってしまう。
【００１０】
特許文献２に示すもの同様に、比較的薄い折りシートから厚い折りシートまで処理するためには、シートを押える上押え板をシートから離間した高い位置に設定することが必要となる。この為、上述した薄い折りシートに対しては上記同様の問題が発生する。特に薄いシートにあっては圧接したローラ間でシートをしごきながら折りを行うため先端の折り部がカールしやすく搬送不良を起こしやすかった。
【００１１】
本発明は上記の問題に鑑みてなされたものであって、シートの厚さが異なるもの、特に二つ折りにされたシートの厚さが異なっていても、シート厚さに応じてシートを押圧するシート押圧部材を搬入シートが搬送案内できる位置に移動させたので、穿孔処理する際のシートの搬入がスムーズに行え、搬送不良を少なくできるシート穿孔装置及びこれを備えるシート処理装置、画像形成装置の提供をその主な課題としている。
【課題を解決するための手段】
【００１２】
本発明は、上記課題を解決するために以下の構成を採用する。
請求項１に記載の発明は、搬送されるシートを載置する載置台と、この載置台上に載置したシートに穿孔を行う穿孔部材と、この穿孔部材をシートに穿孔する穿孔位置とこの位置から退避した退避位置に移動する穿孔移動部材と、
この穿孔移動部材を駆動する穿孔駆動部材と、上記穿孔部材に沿ってスライド可能であって載置台のシートを押圧する押圧位置と、シートを載置台に案内する案内位置と、シートを載置台から排出する離間位置とに移動するシート押圧部材と、このシート押圧部材を移動する押圧移動部材と、この押圧移動部材を駆動する押圧駆動部材と、上記穿孔駆動部材と押圧駆動部材を制御する制御手段とを備え、この制御手段は、押圧駆動部材を駆動してシート押圧部材を押圧位置と離間位置とに位置移動させるともにシートの厚さ情報によって載置台に搬入するシートの厚さに応じた案内位置に移動するシート穿孔装置である。
これによれば、特に二つ折りにされたシートの厚さが異なっていても、シート厚さに応じてシートを押圧するシート押圧部材を搬入シートの適切な位置に移動して搬送案内させたので、穿孔処理する際のシートの搬入がスムーズに行え、搬送不良を少なくできる。また、穿孔部材とシート押圧部材とを移動するための駆動を独立に行うので、それぞれの動作が確実に行える。
【００１３】
請求項２の発明は、上記制御手段は、前記押圧移動手段を駆動してシート押圧手段を離間位置からシート厚さに対応した案内位置に移動してシートを載置台に搬入し、シートを載置台に載置完了後シート押圧部材を押圧位置に移動し、その後に穿孔移動部材を駆動して穿孔部材を退避位置から穿孔位置へ、穿孔位置から退避位置に移動し、この後シート押圧部材を押圧位置から離間位置に移動したのちシートを排出する請求項１記載のシート穿孔装置である。
これによれば、シート押圧部材が離間位置から案内位置に移動してからシートを搬入し、シートを押圧してから穿孔を行い、穿孔完了して離間位置に移動後シートを排出するから、シートの搬入、穿孔、排出が確実に行える。
【００１４】
請求項３の発明は、シート押圧部材の上記離間位置は、上記案内位置よりもシートからさらに離間した位置である請求項２に記載のシート穿孔装置である。
これによれば、穿孔後シート束を載置台から搬出する場合には、案内位置よりもシートからさらに離間した位置に移動するので、たとえ穿孔した際に縁などに生じる所謂バリが発生しても、シート押圧部材に引っ掛かり搬送不良を起こすことが少なくできる。
【００１５】
請求項４の発明は、上記シート押圧部材は、上記穿孔部材にスライド可能な基端部が穿孔部材を囲う筒形状からなり、シートを押圧する端部は、載置台の上流から下流に延設されるとともにその上流側がシートから徐々に離間する傾斜開口部が形成されている請求項３に記載のシート穿孔装置である。
これによれば、シート押圧部材は穿孔部材に沿って移動し、またシート搬入側がスロート上に開口しているので、構成スペースを有効に利用しているとともに、シートの載置台への搬入がよりスムーズに行うことができる。
【００１６】
請求項５の発明は、上記穿孔部材をシートに穿孔する穿孔位置とこの位置から退避した退避位置に移動する穿孔移動部材と、シート押圧部材を載置台にシートを案内する案内位置、押圧する押圧位置、排出する離間位置に移動する押圧移動部材とは、それぞれ偏心カムによって構成されていることを特徴とする請求項４に記載のシート穿孔装置である。
これによれば、これによれば、偏心カムを採用することにより、穿孔部材の移動と押圧部材の各移動が簡単に構成できるシート穿孔装置が提供できる。
【００１７】
請求項６の発明は、上記穿孔駆動部材と押圧駆動部材とは、単一の駆動モータから構成され、この駆動モータの回転方向により、穿孔移動部材としての偏心カムを回転させるか押圧移動部材としての偏心カムを移動させるかを切り替える請求項５記載のシート穿孔装置である。
これによれば、駆動原を一つにできるので、コストやスペースの削減が可能となり小型化が可能となる。
【００１８】
請求項７の発明は、上記制御手段は、載置台へ後続シートの搬入がある場合には、シート押圧部材を前のシートのシート厚さ情報によって案内位置に移動して次シートの搬入を案内することを特徴とする請求項６記載のシート穿孔装置。
これによれば、連続して束生成する場合には、前の厚さ情報を利用してシート押圧手段を案内位置に移動するので、その都度の厚さ測定が不要となり、処理速度の向上が期待できる。
【００１９】
請求項８の発明は、シートを束として集積するスタッカ部と、集積したシートに折り処理を施す折り処理部と、この折り処理部の下流側に、上記請求項１ないし請求項７の何れか１項に記載のシート穿孔装置を配置したシート処理装置である。
これによれば、上記各項に記載した作用効果を持つシート処理装置が提供できる。
【００２０】
請求項９の発明は、順次シート上に画像形成する画像形成手段と、この画像形成手段からのシートに所定の処理を施すシート処理装置とから構成され、このシート処理装置は、上記請求項１ないし７の何れか１項に記載のシート穿孔装置を備えている画像形成装置である。
これによれば、上記各項に記載した作用効果を持つシート処理装置を備えた画像形成装置が提供できる。
【発明の効果】
【００２１】
本発明は上記の解決手段を有することにより下記の効果を奏する。
載置台に載置して穿孔するシートの厚さが異なるもの、特に二つ折りにされたシートの厚さが大きく異なっていても、シート厚さに応じてシートを押圧するシート押圧部材を搬入シートの適切な位置に移動させたので、穿孔処理するために載置台へのシート搬入がスムーズに行えて搬送不良を少なくできる。また、穿孔部材とシート押圧部材とを移動するための駆動を独立して行うので、それぞれの動作が確実に行えるシート穿孔装置及びこれを備えるシート処理装置、画像形成装置の提供ができる。
【図面の簡単な説明】
【００２２】
【図１】本発明に係わる画像形成装置とシート穿孔装置を内装したシート処理装置を組み合わせた全体構成を示した説明図。
【図２】本発明に係わるシート穿孔装置を備えたシート処理装置の全体説明図。
【図３】図２のシート穿孔装置の側面断面説明図。
【図４】図３のシート穿孔装置のシート排出側からの正面断面説明図。
【図５】シート穿孔装置の穿孔部材とシート押え部材の駆動をそれぞれ有する他の実施例の説明図。
【図６】図３と図４のシート穿孔装置のシート押圧部材のシート案内、押圧及び穿孔部材の穿孔動作を示す動作状態説明図で、図６（ａ）は穿孔部材とシート押圧部材が離間位置としての初期位置にある状態を示し、図６（ｂ）はシート押圧部材がシート厚さに応じて受け入れ位置に移動した状態を示し、図６(ｃ)はシート押圧部材によりシートを押圧した穿孔直前の状態を示す説明図。
【図７】図６に続くシート穿孔装置の穿孔部材の穿孔及びシート押圧部材の穿孔動作完了からの復帰動作を示す説明図で、図７（ａ）押圧部材により押圧した状態で穿孔が完了した説明図、図７(ｂ)はシート押圧部材が次のシート束の厚さに応じた受け入れ位置でシートの搬入を待つ説明図、図７（ｃ）は穿孔部材が離間位置に復帰し全てが初期位置に復帰したことを示す説明図。
【図８】図６と図７に示すシート穿孔装置の穿孔及び押し出し動作を示すフローチャート図。
【図９】図６と図７に示すシート穿孔装置の穿孔及び押し出し動作を示す図８に続くフローチャート図。
【図１０】図２のシート処理装置の制御構成説明図である。
【発明を実施するための形態】
【００２３】
以下図示の実施の態様に基づいて本発明を詳述する。図１は本発明に係わる画像形成装置を含む全体構成を示し、図２はシート処理装置の全体構成の説明図を、図３はシート処理装置に内装するシート穿孔装置の側面断面説明図であり、図４はシート穿孔装置の正面断面説明図である。また、図５はシート穿孔装置の穿孔部材とシート押圧部材を移動する他の駆動構成を示す説明図である。    
そこで、図１に示す画像形成システムは画像形成装置Ａとシート処理装置Ｂで構成され、シート処理装置Ｂにはシート穿孔装置５０がユニットとして組み込まれている。
【００２４】
［画像形成装置の構成］
図１に示す画像形成装置Ａは、給紙部１からシートを画像形成部２に送り、画像形成部２でシートに印刷した後、本体排紙口３からシートを搬出する。給紙部１は複数のサイズのシートが給紙カセット１ａ、１ｂに収納してあり、指定されたシートを１枚ずつ分離して画像形成部２に給送する。画像形成部２は例えば静電ドラム４と、その周囲に配置された印字ヘッド（レーザ発光器）５と現像器６と、転写チャージャ７と定着器８が配置され、静電ドラム４上にレーザ発光器５で静電潜像を形成し、これに現像器６でトナーを付着し、転写チャージャ７でシート上に画像を転写し、定着器８で加熱定着する。このように画像形成されたシートは本体排紙口３から順次搬出される。図示９は循環経路であり、定着器８から表面側に印刷したシートを、本体スイッチバック経路１０を介して表裏反転した後、再び画像形成部２に給送してシートの裏面側に印刷する両面印刷の経路である。このように両面印刷されたシートは本体スイッチバック経路１０で表裏反転された後、本体排紙口３から搬出される。
【００２５】
図示１１は画像読取装置であり、プラテン１２上にセットした原稿シートをスキャンユニット１３で走査し、反射ミラー、集光レンズを経て光電変換素子１４で電気的に読み取る。この画像データは画像処理部で例えばデジタル処理された後、データ貯蔵部１７に転送され、前記レーザ発光器５に画像信号を送る。また、図示１５は原稿送り装置であり、原稿スタッカ１６に収容した原稿シートをプラテン１２に給送するフィーダ装置である。
【００２６】
上記構成の画像形成装置Ａには制御部（コントローラ）が設けられ、コントローラパネル１８から画像形成条件、例えばシートサイズ指定、カラー・モノクロ印刷指定、プリント部数指定、片面・両面印刷指定、拡大・縮小印刷指定などのプリントアウト条件が設定される。一方、画像形成装置Ａには上記スキャンユニット１３で読み取った画像データ或いは外部のネットワークから転送された画像データがデータ貯蔵部１７に蓄積され、このデータ貯蔵部から画像データはバッファメモリに転送され、このバッファメモリ１９から順次、レーザ発光器５にデータ信号が移送されるように構成されている。
【００２７】
上記コントローラパネル１８からは画像形成条件と同時にシート処理条件も入力指定される。このシート処理条件は例えば、（１）「プリントアウトモード」、（２）「ステープル綴じモード」、（３）「シート中綴じ束折りモード」、（４）「中折りシート一括穿孔モード」などが指定される。そして画像形成装置Ａは画像形成条件及び後処理条件に応じてシート上に画像形成する。
【００２８】
［シート処理装置の構成］
上述の画像形成装置Ａに連結されたシート処理装置Ｂは、画像形成装置Ａの本体排紙口３から画像形成されたシートを受け入れ下記のシート処理が可能なように設定されている。
まず、（１）画像形成がされたシートを第１排紙トレイ２１に収容する（前述の「プリントアウトモード」）。（２）本体排紙口３からのシートを束状に部揃えして、端面綴じステープル装置３３で綴じ後第１排紙トレイ２１に収納する（前述の「ステープル綴じモード」）。（３）本体排紙口３からのシートを第２の処理トレイであるスタッカ部３５で束状に部揃えしてこのシート束の中程を中綴じステープラ４０で綴じ後、冊子状に折り畳んで第２排紙トレイ２２に収納する（前述の「シート束中綴じ束折りモード」）。（４）中綴じして冊子状に折り畳んだシート束の折り目付近に束を一括して穿孔して、第２排紙トレイに２２に収納する（前述の「中折りシート一括穿孔モード」。）などが指定可能なように構成されている。
【００２９】
ところで、シート処理装置Ａは図２に示すようにケーシング２０に上記第１排紙トレイ２１と第２排紙トレイ２２を備え、本体排紙口３に連なる搬入口２３を有するシート搬入経路Ｐ１が設けられている。このシート搬入経路Ｐ１はケーシング２０に略々水平方向の直線経路で構成されている。そしてこのシート搬入経路Ｐ１から分岐しシートを反転方向に移送する第１スイッチバック搬送路ＳＰ１と第２スイッチバック搬送路ＳＰ２が配置されている。そして第１スイッチバック搬送路ＳＰ１が経路下流側で、第２スイッチバック搬送路ＳＰ２が経路上流側でそれぞれシート搬入経路Ｐ１から分岐され、両搬送路は互いに距離を隔て対置に配置されている。
【００３０】
このような経路構成でシート搬入経路Ｐ１には搬入ローラ２４と排紙ローラ２５が配置されている。排紙ローラ２５は正逆転可能となっている。またシート搬入経路Ｐ１には第２スイッチバック搬送路ＳＰ２にシートを案内する経路切換片（図示せず）が配置されソレノイドなどの作動手段に連結されている。またシート搬入経路Ｐ１には搬入口２３からのシートに捺印処理するスタンプ手段、或いはシートを１枚ずつ穿孔処理する１枚穿孔ユニット２８が搬入ローラ２４の下流側に設けられている。
【００３１】
［第１スイッチバック搬送路ＳＰ１の構成］
図２に示されるようにシート搬入経路Ｐ１の下流側（装置後端部）に配置された第１スイッチバック搬送路ＳＰ１は次のように構成されている。シート搬入経路Ｐ１にはその出口端に排紙ローラ２５が設けられ、この排紙ローラ２５のシートを積載支持する処理トレイ２９が設けられている。この処理トレイ２９の上方には正逆転ローラ３０がトレイ上のシートと接する位置と離間した待機位置との間で昇降自在に配置されている。この正逆転ローラ３０が連結され処理トレイ２９上にシートが進入する際は同図時計方向に回転し、シート後端が排紙ローラ２５から排紙されトレイ上に進入した後は反時計方向に回転するように制御される。従って処理トレイ２９上に第１スイッチバック搬送路ＳＰ１が構成されている。
【００３２】
上述の第１スイッチバック搬送路ＳＰ１の下流側には第１排紙トレイ２１が配置され、この第１排紙トレイ２１は第１スイッチバック搬送路ＳＰ１及び第２スイッチバック搬送路ＳＰ２に導かれるシートの先端を支持するように構成されている。
【００３３】
上記の処理トレイ２９の排紙方向後端部には、端面綴じステープル装置３３が配置されている。このステープル装置３３は処理トレイ２９上に集積されたシート束の後端縁の１個所若しくは複数個所にステープル綴じする。綴じ処理されたシート束は第１排紙トレイ２１排出される。
【００３４】
上述のように構成された第１スイッチバック搬送路ＳＰ１は前記（２）の「ステープル綴じモード」のときには排紙ローラ２５からのシートを処理トレイ２９上に部揃えし、このシート束を端面綴じステープル装置３３で後端縁の１個所又は複数個所をステープル綴じする。また前記（１）の「プリントアウトモード」のときには排紙ローラ２５からのシートをスイッチバック搬送することなく、処理トレイ２９に沿って送られたシートを正逆転ローラ３０の図示時計方向の回転で第１排紙トレイ２１に搬出する。
【００３５】
［第２スイッチバック搬送路の構成］
前記シート搬入経路Ｐ１から分岐された第２スイッチバック搬送路ＳＰ２の構成について説明する。この第２スイッチバック搬送路ＳＰ２は、図２に示すようにシートが排紙ローラ２５にニップされた状態で正転から逆転してスイッチバック搬送されてくるシートを案内する搬送路である。この搬送路は、図２に示すようにケーシング２０に略々鉛直方向に配置され、経路入口に搬送ローラ３６が、経路出口に出口搬送ローラ３７が配置されている。また第２スイッチバック搬送路ＳＰ２の下流側にはこの搬送路から送られたシートを部揃えし一時集積する第２の処理トレイを構成するスタッカ部３５が設けられている。図示のスタッカ部３５はシートを移送する搬送ガイドで構成されている。このスタッカ部３５には中綴じステープラ４０と折りローラ４５が配置されている。以下順次これらの構成について説明する。
【００３６】
[スタッカ部の構成]
まずスタッカ部３５はシートの搬送をガイドするガイド部材で形成され、このガイド上にシートを積載収納するように構成されている。図示のスタッカ部３５は第２スイッチバック搬送路ＳＰ２に連なり、ケーシング２０の中央部に略々鉛直方向に配置されている。これによって装置を小型コンパクトに構成している。このスタッカ部３５は内部に最大サイズシートを収納する長さ形状に形成され、特に図示のものは後述する中綴じステープラ４０と折りローラ４５を配置する側に突出するように湾曲又は屈曲した形状に構成されている。
【００３７】
上記スタッカ部３５の搬送方向後端側には前述の第２スイッチバック搬送路ＳＰ２の出口端とオーバーラップするスイッチバック進入路３５ａが連設されている。これは第２スイッチバック搬送路ＳＰ２の出口搬送ローラ３７から送られる搬入（後続）シートの先端とこのスタッカ部３５に支持されている積載済（先行）シートの後端をオーバーラップさせることによって集積するシートのページ順位を確保するためである。また、スタッカ部３５にはシートの搬入方向先端を規制するストッパー手段としての先端規制部材（以下、ストッパー３８という）がガイド下流側に配置してあり、このストッパー３８はスタッカ部３５に沿って移動可能にガイドレールなどに支持され、図示しないシフト手段でシートをスタッカ部３５に搬入する位置、集積方向の中程で綴じる位置及び折りローラ４５で折る位置に位置移動するように構成されている。
【００３８】
[中綴じステープラの説明]
次に、このスタッカ部３５の上方に位置する中綴じステープラ４０は、ステープル針をシート束に打ち込むドライバーユニット４１と打ち込まれたステープル針の脚部を互いに向き合う方向に折り曲げるクリンチャユニット４２で構成され、それぞれのユニットはスタッカ部３５を挟んで対向する位置に構成され、通常シート長さの２分の1となる図示Ｘの綴じ位置でシートを綴じる。尚、この中綴じステープラはシート束の綴じるスープル針として金属の針を用いるほか紙製からなる紙製針や針を使用しない圧着や切り込みをシートに入れて綴じてもよい。
【００３９】
［折りローラの説明］
次に、折りローラ４５の構成について説明する。上述の中綴じステープラ４０の下流側に配置された折位置Ｙには、図２に示すようにシート束を折り合わせる折りローラ４５とこの折りローラ４５のニップ位置にシート束を挿入する折りブレード４６が備えられている。折りローラ４５は互いに圧接した一対の圧接ローラで構成され、この圧接ローラは略々最大シートの幅長さに形成されている。この折りローラ４５は、図示されていない圧縮スプリングで互いに圧接方向に付勢されている。上記一対の折りローラはゴムローラなどの比較的摩擦係数の大きい材料で形成されている。
【００４０】
また、図２に示すように上記の折りローラ４５の圧接位置に向かって侵入する折りブレード４６が進退可能に配置されている。この折りブレード４６は、シート束が中綴じステープラ４０で中綴じされた後、この綴じ位置を折りローラ４５に押し込むように移動し、この動作に連動して折りローラ４５が圧接回転することにより中綴じシートを二つ折りに中折りしていく。この途中で折りブレード４６は元の位置に復帰して次のシート束の搬入に備える。折りブレードの移動位置は、折り位置Ｙとして図２に示されており、この位置はシートが束として綴じ針で綴じられた位置Ｘに一致している。
尚、この折りローラ４５はシートを折りこまない状態と折りシートを折りこんだ状態とで、互いに圧接する折りローラ４５の軸間の距離を測定して折りローラで折りこむシートの束厚を検知することにも利用している。
【００４１】
［シート穿孔装置の説明］
上記の折りローラ４５は中折りシートを作成するとともにそのシート束を下流側に中折りシート束搬送パスＢＰに沿って搬送するようになっている。この下流側にはこの中折りシート束を第２排紙トレイ２２に排出する束排出ローラ４９が配置されている。上記の折りローラ４５と束排出ローラ４９との中折りシート束搬送パスＢＰには、本発明に係わるシート穿孔装置５０が配置されている。
このシート穿孔装置５０は図２に示されるように中折りシート束搬送パスＢＰを挟んで押圧穿孔ユニット５１が配置され、このパスの下方には穿孔による穿孔屑を収納する穿孔屑ボックス５２が配置されている。
【００４２】
以下、図３から図５までにより、本発明に係わるシート穿孔装置５０についての構成を説明する。図３は図２のシート穿孔装置５０の側面の断面説明図であり、図４はこの装置の束排出側からの正面断面説明図である。図５は第３図におけるシート穿孔装置の駆動系を変えた他の実施例の説明図である。
【００４３】
図３及び図４に示されるように、シート穿孔装置５０は中折りシート束搬送パスＢＰの下方にシートの載置台５３が配置されている。この載置台５３には上流側の折りローラ４５から搬送されてくるシートを検出するセンサＳｅｎ１と、シート先端を導く下側に折り曲げられてガイドするシート受け入れ下ガイド５４と、後述するとしての穿孔部材先端８０ａに穿孔刃を有する穿孔部材８０が貫通する穿孔用ダイ５５が設けられている。
一方、中折りシート束搬送パスＢＰの上方には、押圧ユニット５１ａと穿孔ユニット５１ｂとを備える基台５６が配置されている。この基台５６は筒形状の基端部５９を有するシート押圧部材６０が貫通する基台貫通孔５８が設けられている。この筒状のシート押圧部材６０の筒内には、穿孔部材先端８０ａに穿孔刃を有する穿孔部材８０が昇降可能に設けられている。言い換えると、基台貫通孔５８にはすぐ内側にシート押え部材６０の基端部５９が位置し、その内側には穿孔部材先端８０ａに穿孔刃を有する穿孔部材８０が昇降可能に設けられていることになる。
【００４４】
この基台貫通孔５８を挟んでシート搬送方向下流側（図示左側）にシート束に穿孔する際に押圧する押圧ユニット５１ａが配置され、上流側（図示右側）に押圧したシートを穿孔する穿孔ユニット５１ｂを設けている。以下、これらについて説明する。
【００４５】
［押圧ユニットの説明］
まず、押圧ユニット５１ａは、内部中空で筒状の基端部５９を有するシート押圧部材６０を上記基台貫通孔５８に昇降可能に支持している。このシート押圧部材６０はその上端が傘状に形成された傘部７６を有している。このシート押圧部材６０には、一端が基台５６に回動自在に結合される押圧レバー結合部６３を有し、他端がシート押圧部材６０上端の傘部７６に結合した押圧レバー結合ピン６１を有する押圧レバー６２が設けられている。この押圧レバー６２の長手方向の中程には、押圧レバー結合部６３を支点として揺動させる偏心カムで構成された押圧移動部材としての押圧カム６６が配置されている。また、押圧レバー６２の押圧カム６６の位置には押圧カム受け６４が設けられている。また押圧レバー結合部６３付近には、この押圧カム受け６４が常に押圧カム６６に当接し復帰方向に弾圧する押圧レバースプリング６５が基台５６との間に介在している。
【００４６】
このシート押圧部材６０の載置台５３に対向する側は、筒状の上記基端部５９に連なるシート押圧中央部６０ａとこれからシート搬入方向に延設されシートを受け入れる傾斜開口部となるように徐々に上方に広がるシート受け入れガイド部６０ｂと図４によく示されるシート幅方向に延設されたシート押圧幅方向縁部６０ｅとから構成されている。言い換えると、シート押圧部材６０は１枚のプレートの様にシートを案内し押圧する構成となっている。また、上述したように穿孔部材８０の穿孔刃としての穿孔部材先端は、上記のシート押圧中央部から出没してシートを押圧しながら穿孔する。言い換えると、シート押圧部材６０は穿孔部材８０に沿って上下スライド可能に構成されていることになる。
【００４７】
さらに押圧カム６６の回転を受ける押圧カム受け６４とこれが取り付けられる押圧レバー６２との間には支持バネ部材６４ｂを介して取り付けられている。従って、シート押圧部材６０がシートの厚さにより途中で規制されたとしても、この支持バネ部材６４ｂの弾性により押圧カム６６は押圧カム受け６４を押し下げて回転することになる。
なお、シート押圧部材６０の傘部７６と押圧レバー結合ピン６１との結合は図４の部分拡大図に示す様に、押圧レバー６２によって昇降する移動ピン６１ａが結合部材６１ｂによって傘部７６を両側から支持している。
【００４８】
ところで、上記の押圧カム６６は、偏心した位置で押圧カム駆動軸６７に結合され、押圧カムワンウェイクラッチ７１を介して押圧駆動部としての単一の駆動モータ７０に連結されている。また、この押圧カム６６の周面には、この押圧カム６６の位置をセンサ（Ｓｅｎ２）で検出させるフラグが貼付けている。このセンサが、図示６８を検出すると、シート押圧部材６０が退避位置にあることを示す押圧カムホームポジション(離間位置)を示し、図示６９を検出すると、シート押圧部材６０が押圧位置としてシートに押圧を完了して復帰点に到達したことの押圧カム下端位置にあることを示している。従って、このセンサが２度フラグを検出するとシート押圧部材６０が昇降往復したことになる。
【００４９】
また、載置台５３に載置されるシートの厚さに応じて、押圧カムホームポジション(離間位置)６８からシート厚さプラス３ミリメートルに相当する範囲の位置まで押圧カム６６を回動して停止させる。するとシート押圧部材６０はシートを載置台５３にガイドする位置に移動して停止して、シートの搬入を待つ状態になる。シートを受け入れ後、押圧カムを再び回転してシート押圧部材６０でシートを押圧する位置に移動する。この位置はシート厚さに対して十分押圧できるいである。穿孔部材８０によりシートに穿孔後さらに押圧カム６６を回転するとシート厚さによりシート押圧部材６０は下降しないが、押圧カム受け６４の支持バネ部材６４ｂの弾性により押圧カム６６は押圧カム下端位置６９を過ぎて回転し、その後押圧カムホームポジション(離間位置)６８の位置で停止することになる。
【００５０】
［穿孔ユニットの説明］
次に、穿孔ユニット５１ｂは、上述した筒状のシート押圧部材６０の中空内部に嵌合して上下に摺動する棒状先端に穿孔刃を有する穿孔部材８０を有している。この穿孔部材８０には、一端が基台５６に設けられた移動バー支持部７９に穿孔結合部８４で回動自在に取り付けられ、他端は穿孔レバー結合ピン８１により穿孔部材８０の上端に結合した穿孔レバー８２が配設されている。また、この穿孔レバー８２の長手方向の中程には、穿孔結合部８４を支点として揺動させる偏心カムで構成された穿孔移動部材としての穿孔カム８５が配置されている。また、穿孔レバー８２の穿孔カム８５の位置には、穿孔カム受け８３が設けられ、穿孔結合部８４付近には、この穿孔カム受け８３が常に穿孔カム８５に当接し、復帰するように戻す穿孔レバースプリング８９が基台５６との間に介在してある。
【００５１】
上記の穿孔カム８５は、偏心した位置で穿孔カム駆動軸９１に結合され、穿孔カムワンウェイクラッチ８８を介して穿孔駆動部としての駆動モータ７０に連結してある。また、この穿孔カム８５の周面には、この穿孔カム８５の位置をセンサ（Ｓｅｎ３）で検出させるフラグを貼付けている。このセンサが、図示フラグの８６を検出すると、穿孔部材先端８０ａに穿孔刃を有する穿孔部材８０がシート押圧部材６０の中空内部の収納位置にあることを示す穿孔カムホームポジション(退避位置)８６を示し、図示フラグの８７を検出すると、穿孔部材先端８０ａがシート押圧部材６０から突出して載置台５３の穿孔用ダイ５５に貫通した穿孔カム下端位置(穿孔位置)にあることを示している。従って、このセンサＳｅｎ３が２度フラグを検出すると穿孔部材８０がシート押圧部材６０の中空内部を昇降往復したことになる。
【００５２】
［押圧駆動部と穿孔駆動部の説明］
ここで、これまでの説明においても触れたが、その回転方向により押圧駆動部材及び穿孔駆動部材を構成する駆動モータ７０とその駆動系について説明する。図４に示されるように駆動モータ７０は、基台５６に立設したモータ支持ブラケット７２に固定され、そのモータ駆動軸７３が突出して設けられている。このモータ駆動軸７３からの駆動は、その軸に設けられたギアにより分岐されて押圧カムワンウェイクラッチ７１を介して押圧カム駆動軸６７と、穿孔カムワンウェイクラッチ８８を介して穿孔カム駆動軸９１に接続されている。
従って、駆動モータ７０のモータ駆動軸７３が時計方向に正転すると押圧カムワンウェイクラッチ７１が接続されて押圧カム６６を移動する押圧カム駆動軸６７を駆動する。この押圧カム６６の回転はセンサ（Ｓｅｎ２）で検出されて動作制御される。
【００５３】
また、駆動モータ７０はシートの厚さ情報を受けてその厚さに近い位置に個のシート押圧部材６０を位置させるように駆動する。このシート厚さ分は、例えば押圧カム６６の側面にあるマーキングをセンサ(Ｓｅｎ２)で検出し、これをカウントすることによって設定する。このシートの厚さに対応するシート押圧部材６０の位置はシート表面から約３ミリメートルの位置が望ましい。これにより搬送されてくるシート束を載置台５３の穿孔位置までシート押圧部材６０により案内ガイドすることができ、シートの別の個所への接触や引っ掛かりを生じて詰まり等を起こすことを減少できる。
【００５４】
シートが載置台５３の穿孔可能な所定位置に到達後、シート案内位置にあったシート押圧部材６０はシートを穿孔時に移動しないように押圧する押圧位置に移動する。この押圧はシートの厚さ情報により、駆動モータをさらに正転してなされる。尚、この場合、押圧カム下端位置６９を示すフラグを過ぎるとシート押圧部材６０は、上昇に転じるので、この押圧カム下端位置６９を示すフラグ手前でシートを押圧するようになっている。
【００５５】
一方、駆動モータ７０のモータ駆動軸７３が反時計方向に逆転すると押圧カムワンウェイクラッチ７１の駆動伝達が断たれ、穿孔カムワンウェイクラッチ８８が接続されて穿孔カム８５を移動する穿孔カム駆動軸９１が駆動される。この穿孔カム８５の回転はセンサ（Ｓｅｎ３）で検出されて動作制御される。これらのセンサ（Ｓｅｎ２、Ｓｅｎ３）、駆動モータ７０及びシート穿孔装置５０へのシートの搬入排出を検出するセンサ（Ｓｅｎ１）は後述する押圧制御部としての中折りシート一括穿孔制御部１２３に接続されている。駆動モータ７０は、この中折りシート一括穿孔制御部１２３によって駆動及びその駆動方向がコントロールされることになる。このように、本願の駆動系は駆動モータ７０の正転、逆転の切り替えにより駆動の係合離脱を行っていて、単一の駆動原としている。
【００５６】
なお、駆動モータ７０の反時計方向への逆転により、押圧カムワンウェイクラッチ７１の駆動伝達が断たれシート押圧部材６０のシート押圧状態からの浮き上がりがある場合には、上記押圧カムワンウェイクラッチ７１から押圧カム駆動軸６７の間に軸をソレノイド等からなるロック機構を設ければよい。通常は駆動機構の摩擦などにより押圧状態が維持されているので浮き上がりはないが、生じる場合は上記のロック機構を付加する。
【００５７】
ところで、シートの載置台へのシートの搬入を検出するセンサＳｅｎ１や押圧カム６６の位置と移動量を検出するセンサＳｅｎ２、穿孔カム８５の位置と移動量を検出するセンサＳｅｎ３、あるいは後述するシート厚さを検知するＳｅｎＴは追って説明する中折りシート一括穿孔制御部１２３に接続されている。駆動モータ７０は、この中折りシート一括穿孔制御部１２３を制御手段としてその駆動及びその駆動方向がコントロールされることになる。
【００５８】
尚、載置台５３に搬入される折りシートの厚さは、既に述べた圧接する折りローラ４５の軸間の距離を測定して折りローラ４５で折りこむシートの束厚を検知することができる。あるいは、スタッカ部３５に搬入されるシート枚数をカウントしこれにシート厚さ通常のシート厚さを乗じた値を厚さ情報としてもよい。あるいは、また画像形成装置Ａから枚数とシート厚さを乗じた値を受信し、これをシート厚さ情報としてもよい。このようにシートの厚さ情報を取得する方法は多種あるが、より好ましくは折りシートの曲げ部の折り厚を実際手に測定した値がよい。また、シート押圧部材６０のシートを案内する位置は、シートから２〜４ミリ離間した位置に設定されると好ましいが、実際の折り曲げ部の厚さを検出せずに、シート枚数からシートの案内位置を設定するときは、もう少し多めに離間した位置に設定してもよい。
【００５９】
［駆動系の他の実施例］
次に、図５によりシート押圧部材６０と穿孔部材８０との駆動系を、これまでと異なる構成にしたものについて説明する。尚、これまでの実施例と同じ構成部材については同一符号を付して説明は省略する。
これまで図３と図４の実施例におけるシート押圧部材６０と穿孔部材８０の駆動系はその駆動モータ７０の回転方向を変えることにより、シート押圧部材６０と穿孔部材８０の何れかを移動させるように駆動系にワンウエイクラッチを介在させて行っていた。これに対して、図５に示すものは、押圧カム６６を駆動する駆動モータ９６と穿孔カム８５を駆動する駆動モータ９７の２つのモータでそれぞれを駆動するものであ。このように独立で駆動してもよい。従って押圧駆動部材を駆動モータ９６が穿孔駆動部材を駆動モータ９７がそれぞれ独立して構成することになる。
【００６０】
また、この図５のものは、基台５６の右端部に回動可能な厚さ検出レバー９３を配置してある。この厚さ検出レバー９３は、載置台５３に搬送されてくるシートの厚さを厚さ検出センサ(ＳｅｎＴ)で検出している。すなわち、載置台５３に搬送されてくるシートにより、厚さ検出レバー９３が移動し、これがＳｅｎＴＳで薄い、ＳｅｎＴＭで中間厚さ、ＳｅｎＴＬで厚いのを検出し、これに従って、シート押圧部材６０がシートを案内する位置に移動させる。このよう要に構成すれば、厚さ検出のないシート処理装置Ｂにシート穿孔装置５０を後から装着することもできる。
【００６１】
［シート穿孔装置の動作説明］
ここからは図６から図９によりシート穿孔装置５０の案内、押圧及び穿孔の動作について説明する。まず、図６は図３と図４のシート穿孔装置５０のシート押圧部材６０の案内、押圧及び穿孔部材８０の穿孔動作を示す動作状態説明図で、図６（ａ）はシート押圧部材６０と穿孔部材８０が初期位置にある状態を示し、図６（ｂ）はシート押圧部材６０がシートを案内する位置に移動してシートの搬入を開始している状態を示し、図６(ｃ)はシート押圧部材６０がシートのシート案内位置から移動して、シートを押圧している状態を示す説明図である。
【００６２】
図７は、図６に続くシート穿孔装置５０のシート押圧部材６０の押圧及び穿孔部材の押圧と穿孔完了からの戻り動作を示す説明図で、図７（ａ）シート押圧部材の押圧中に穿孔が完了を示した説明図、図７(ｂ)は穿孔部材８０の初期位置である退避位置への復帰を示す説明図、図７（ｃ）はシート押圧部材６０が初期位置である離間位置に復帰し、全てが初期位置に復帰したことを示す説明図である。
図８と図９は、上記シート穿孔装置５０の案内、押圧及び穿孔の各動作を示すフローチャート図である。尚、説明の都合上、図８と図９に示すステップ(図中、Ｓ数字で表示)毎に、図６と図７の動作時状態図を参照して説明する。
【００６３】
［シート押圧部材と穿孔部材の動作説明］
後述する画像形成装置制御部１１０のモード設定手段１１２に、オペレターが入力手段１１１より、折りシートに対して一括押圧する「中折りシート一括押圧モード」を設定する。
まず、一部目の折りシート束が折りローラ４５によって折り側を先端として搬送され、この搬送過程でシート束の厚さを測定する。特に重要な束厚は先端部の折り曲げ部なので、この厚さ情報を優先して利用するようにしてある。シート厚さ情報の検出は、先に述べたように複数あり、何れでもよいが、折り位置の厚さを検出できるものが好ましい。
【００６４】
シート穿孔装置５０側から述べると、図６（ａ）の状態でシートの厚さ情報を入手したことを確認する(Ｓ１)。これにより、折られたシート束厚さが検出できたので、駆動モータ７０を図示反時計方向に駆動して、押圧カム６６としての偏心カムを回転する。(Ｓ２)。この駆動モータ７０がシート厚さに対応した分回転したかを確認し（Ｓ３）、図６（ｂ）に示す様に、シート厚さから３ミリ程度上方にシート押圧部材６０を位置させて駆動モータ７０を停止する（Ｓ４）。
【００６５】
この状態で、センサＳｅｎ1により先端が検出されると、この検出から折りシートの折り側先端が押圧位置に位置しているかを確認する（Ｓ５）。その後、押圧をする所定位置に折りシートが搬送されると、折りローラ４５の駆動回転を停止しシート束の搬送を停止する（Ｓ６）。このシート停止により、駆動モータ７０を反時計方向に駆動し押圧カム６６の回転を開始させる（Ｓ７）。図６（ｃ）に示す様に、シート押圧部材６０はシート束を載置台５３に向けて押圧する。つまり、載置台５３へのシートの載置完了後シート押圧部材６０を押圧位置に移動している。押圧カム６６の回転によりシート押圧部材６０が押圧位置にあるかを確認する(Ｓ８)。穿孔の際シートが動かないように押圧する押圧位置に達すると一旦、駆動モータ７０の駆動を停止し、これにより押圧カム６６もその回転を停止する(Ｓ９)。
【００６６】
この状態で、一旦停止していた駆動モータ７０を今度は時計方向に駆動を開始する。すると穿孔カム８５が回転を始め、これにより穿孔部材８０が下降する(Ｓ１０)。さらに、穿孔カム８５が回転すると、折りシートに穿孔し、その穿孔部材先端８０ａは載置台５３の穿孔用ダイ５５を貫通し、穿孔位置に到達する(Ｓ１１)。この状態は、図７(ａ)にあるように、穿孔カム８５の穿孔カム駆動軸９１と穿孔カム受け８３とが最も遠い位置にある。この際、図７(ａ)に示す様に、穿孔屑は穿孔屑ボックスに落下する。
【００６７】
駆動モータ７０は、引き続き反時計方向に回転する(Ｓ１３)。そして初期位置である退避位置に穿孔部材８０が位置するかを確認する(Ｓ１４)。センサＳｅｎ３が穿孔カム８５の図示フラグの８６を検出すると穿孔部材８０が穿孔刃カムホームポジション(退避位置)に相当する初期の位置に戻ったと判断し、図７(ｂ)に示す様に穿孔部材８０が退避位置である初期位置に戻り、駆動モータ７０駆動を停止し、穿孔カム８５の回転を停止する(Ｓ１５)。
【００６８】
穿孔部材８０が初期の位置である退避位置に戻ると、今度は駆動モータ７０を時計方向に駆動を開始し、押圧カム６６が回転してシート押圧部材６０も押圧位置から上昇を開始する(Ｓ１６)。引き続く押圧カム６６の回転により、シート押圧部材６０は、シート案内位置に停止することなく上昇する。この状態は図７(ｂ)に示されている。押圧カム６６が回転し、初期の位置である離間位置に到達したかを確認する(Ｓ１７)。センサＳｅｎ２が押圧カム６６の押圧カムホームポジション(離間位置)６８を示すフラグを検出するとシート押圧部材６０が離間位置に戻ったと判断し、駆動モータ７０を停止する(Ｓ１８)。これにより、シート押圧部材６０と穿孔部材８０それぞれの位置である離間位置と退避位置とに戻ったことになる。
【００６９】
この状態で折りローラ４５を回転してシートを束排出ローラ４９に移動してシート束を第２排出トレイに排出する（Ｓ１９）。引き続き、同一シート枚数で同じ処理を行う同一ジョブ中の次シート束があるときには、シート厚さ情報の入手(Ｓ１)前に戻り、上記同様の動作を繰り返す。
【００７０】
尚、通常は、同一ジョブの処理は、同一の枚数の同じ処理となりシート束厚さは同じになるので、連続した後続シート束があるときには１回目のシート束厚情報を利用して、シート押圧部材６０の案内位置を設定してもよい。あるいは、同一のシート厚さか否かをその都度確認してシート押圧部材６０を移動停止してもよい。あるいは、その都度シート厚を検出して、シート押圧部材６０の位置を設定することもできる。また、この同一ジョブ中のシート束か否かは、次のシート束の処理時間が長くなるとジョブが終了し、次の枚数の異なるシート束であると判断することも可能である。シート束の枚数が同じで同じ処理を行う同一ジョブのシート束がなくなると押圧処理を終了する。
【００７１】
［制御構成の説明］
これまで、説明したシート穿孔装置５０を備えるシート処理装置Ｂ及びこのシート処理装置を含む画像形装置Ａの制御構成を図１０のブロック図により説明する。画像形成手段を備える画像形成装置制御部１１０は、コントロールパネルに設けられた入力手段１１１から所望の処理を入力する。この入力はモード設定手段によって、シート処理装置Ｂのシート処理装置制御部１１５を制御する。
【００７２】
本実施例のシート処理装置Ａのモードは既に説明したように、つぎのモードを備えている。
すなわち、（１）画像形成がされたシートを第１排紙トレイ２１に収容する「プリントアウトモード」。（２）本体排紙口３からのシートを束状に部揃ええしてー端面綴じステープル装置３３で綴じ後第１排紙トレイ２１に収納する「ステープル綴じモード」（３）本体排紙口３からのシートを第２の処理トレイであるスタッカ部３５で束状に部揃えしてこのシート束の中程を中綴じステープラ４０で綴じ後、冊子状に折り畳んで第２排紙トレイ２２に収納する「シート束中綴じ束折りモード」。（４）中綴じして冊子状に折り畳んだシート束の折り目付近に束を一括して押圧して、第２排紙トレイに２２に収納する「中折りシート一括押圧モード」。これらのモードが指定可能なように構成されている。
【００７３】
シート処理装置Ｂは、上記の指定されたモードによって動作可能とされるシート処理装置制御部１１５と、動作プログラムを格納したＲＯＭと、制御データを記憶したＲＡＭを備えている。そして、このシート処理装置制御部１１５は、この装置内のシート搬送を制御するシート搬送制御部１１６と、１枚ごとにシートに１枚穿孔ユニット２８で押圧処理を行う１枚押圧制御部１１７と、処理トレイ２９でシートの集積制御を行う処理トレイ制御部１１８と、この処理トレイ２９にシート束として集積されたシートの端面側を綴じ、綴じ後排出する端面綴じ制御部１１９を備えている。
【００７４】
シート束のシート搬送方向の１／２付近を綴じる中綴じたり中折りしたりする場合、シートのスタッカ部３５にシート束を集積するスタッカ部制御部１２０で制御される。このスタッカ部制御部１２０は、１枚ずつスタッカ部３５に搬入してくるシートの先端を規制するストッパー３８や図示していないシート側縁整合部材で整列したシート束を生成する。さらに、シート束の中程にステープル針等を打ち込むように中綴じステープラを制御する中綴じ制御部と中綴じされたシート束を折りブレード４６で折りローラ４５に押し込んで中折りを施すように制御するシート中折り制御部１２２を備える。
【００７５】
この中折りシートに対して、これまで説明した「中折りシート一括押圧モード」に従ってシート穿孔装置５０を制御する中折りシート一括穿孔制御部１２３を備える。その後、一括押圧が終了した中折折りシートは、束移送を兼用する折りローラ４５、束排出ローラ４９を制御する中折シート排出制御部１２４により制御されて第２排紙トレイに排出集積される。
本発明に特に関連する、中折りシート一括押圧制御については、これまで各機構の説明及び図６から図９までの各動作状態説明図及び動作フローチャート図で説明したので、ここでの説明は省略するが、その内容でシート穿孔装置５０を制御する。
【符号の説明】
【００７６】
Ａ      画像形成装置
Ｂ      シート処理装置
Ｘ      接着剤塗布位置
Ｙ      折り位置
３５    スタッカ部
４０    中綴じステープラ
４５    折りローラ
４９    束排出ローラ
５０    シート穿孔装置
５１    押圧穿孔ユニット
５２    穿孔屑ボックス
５３    載置台
５４    シート受け入れ下ガイド
５６    基台
５８    基台貫通孔
５９    基端部
６０    シート押圧部材
６０ａ  シート押圧中央部
６２    押圧レバー
６３    押圧レバー結合部
６４    押圧カム受け
６５    押圧レバースプリング
６６    押圧カム（押圧移動部材／偏心カム）
６７    押圧カム駆動軸
６８    押圧カムホームポジション（離間位置）
６９    押圧カム下端位置
７０    駆動モータ（押圧駆動部／穿孔駆動部）
７１    押圧カムワンウェイクラッチ
８０    穿孔部材
８０ａ  穿孔部材先端（穿孔刃）
８２    穿孔レバー
８３    穿孔カム受け
８５    穿孔カム（穿孔移動部材／偏心カム）
８６    穿孔カムホームポジション（退避位置）
８７    穿孔カム下端位置（穿孔位置）
８８    穿孔カムワンウェイクラッチ
９１    穿孔カム駆動軸
１２３  中折りシート一括穿孔刃制御部(制御手段)    
【図１】
2015224113.tif 000003
【図２】
2015224113.tif 000004
【図３】
2015224113.tif 000005
【図４】
2015224113.tif 000006
【図５】
2015224113.tif 000007
【図６】
2015224113.tif 000008
【図７】
2015224113.tif 000009
【図８】
2015224113.tif 000010
【図９】
2015224113.tif 000011
【図１０】
2015224113.tif 000012